(57)【特許請求の範囲】
【請求項１】
便鉢部の表面に沿って洗浄水を吐水する第１吐水口と、前記便鉢部の下部に連通した便器排水路内を下流方向に洗浄水を吐水する第２吐水口とに洗浄水を供給する便器洗浄装置であって、
前記第１吐水口に連通する第１給水路と、
前記第２吐水口に連通する第２給水路と、
前記第１給水路及び前記第２給水路の洗浄水の流れを別々に制御する流れ制御装置とを備えており、
この流れ制御装置は、
前記第２給水路を開放して、最大流量の洗浄水を前記第２吐水口から吐水し、その勢いによって汚物等を前記便器排水路の下流方向へ搬送する第１ブロー吐水を実行し、
この第１ブロー吐水中に前記第１給水路を開放して、前記第１吐水口から吐水した洗浄水が前記便鉢部の下部に流れ込む鉢吐水を実行し、
一旦、前記第２給水路を流れる洗浄水の流量を低下させて前記便鉢部内の水位が上昇し始めた後、再度、前記第２給水路を流れる洗浄水の流量を増加して、前記第２吐水口から吐水する洗浄水の勢いによって前記便器排水路内の臭気を下流方向へ押し込む第２ブロー吐水を実行し、
この第２ブロー吐水を実行した後に前記第２給水路を閉鎖して第２ブロー吐水を終了し、その後、前記第１給水路を閉鎖して鉢吐水を終了することを特徴とする便器洗浄装置。
【請求項２】
前記第２ブロー吐水を実行する際に前記第２給水路を流れる洗浄水の流量は、前記第１ブロー吐水を実行する際に前記第２給水路を流れる洗浄水の最大流量よりも少ないことを特徴とする請求項１記載の便器洗浄装置。
【発明の詳細な説明】
【技術分野】
【０００１】
本発明は便器洗浄装置に関する。
【背景技術】
【０００２】
特許文献１は従来の水洗式便器を開示している。この水洗式便器は便器本体と便器洗浄装置とを備えている。便器本体は、便鉢部と、便鉢部の下部に連通した便器排水路とを有している。また、便器本体は、便鉢部の表面に沿って洗浄水を吐水する第１吐水口と、便器排水路内を下流方向に洗浄水を吐水する第２吐水口とを有している。便器洗浄装置は第１吐水口及び第２吐水口に洗浄水を供給する。便器排水路は負圧遅延部を有している。この負圧遅延部は便器排水路の下流部に水膜を形成することによって構成されている。
【０００３】
この水洗式便器は、第２吐水口から洗浄水を吐水すると、その洗浄水の勢いによって汚物等を便器排水路の下流方向へ搬送することができる。この際、便器排水路の上流端開口が便鉢部の下部に露出するため、トイレルーム内の気圧が低いと、便器排水路から臭気が便鉢部を介してトイレルーム内に引き込まれるおそれがある。しかし、この水洗式便器は、便器排水路の下流部に形成する水膜によって、水膜より下流側の排水路内の臭気が便鉢部を介してトイレルーム内に引き込まれ難くすることができる。
【先行技術文献】
【特許文献】
【０００４】
【特許文献１】特開２００６−２８７５７号公報
【発明の概要】
【発明が解決しようとする課題】
【０００５】
しかし、特許文献１の水洗式便器は、便器排水路の下流側において、水膜を形成するための構造が必要である。このため、便器排水路の形状が複雑となり、便器排水路内の流れに影響を及ぼすおそれがある。また、この水洗式便器は、ブロー洗浄の実行によって、便鉢部内の水位が低くなり、便器排水路の上流端開口が便鉢部の下部に露出した状態になる。この際、便鉢部の下流部に水膜が良好に形成されないと、便器排水路内の臭気が便鉢部を介してトイレルーム内に引き込まれるおそれがある。
【０００６】
本発明は、上記従来の実情に鑑みてなされたものであって、便器洗浄を良好に実行し、便器排水路から便鉢部を介してトイレルーム内に臭気が引き込まれることを防止できる便器洗浄装置を提供することを解決すべき課題としている。
【課題を解決するための手段】
【０００７】
本発明の便器洗浄装置は、便鉢部の表面に沿って洗浄水を吐水する第１吐水口と、前記便鉢部の下部に連通した便器排水路内を下流方向に洗浄水を吐水する第２吐水口とに洗浄水を供給する便器洗浄装置であって、
前記第１吐水口に連通する第１給水路と、
前記第２吐水口に連通する第２給水路と、
前記第１給水路及び前記第２給水路の洗浄水の流れを別々に制御する流れ制御装置とを備えており、
この流れ制御装置は、
前記第２給水路を開放して、最大流量の洗浄水を前記第２吐水口から吐水し、その勢いによって汚物等を前記便器排水路の下流方向へ搬送する第１ブロー吐水を実行し、
この第１ブロー吐水中に前記第１給水路を開放して、前記第１吐水口から吐水した洗浄水が前記便鉢部の下部に流れ込む鉢吐水を実行し、
一旦、前記第２給水路を流れる洗浄水の流量を低下させて前記便鉢部内の水位が上昇し始めた後、再度、前記第２給水路を流れる洗浄水の流量を増加して、前記第２吐水口から吐水する洗浄水の勢いによって前記便器排水路内の臭気を下流方向へ押し込む第２ブロー吐水を実行し、
この第２ブロー吐水を実行した後に前記第２給水路を閉鎖して第２ブロー吐水を終了し、その後、前記第１給水路を閉鎖して鉢吐水を終了することを特徴とする。
【０００８】
この便器洗浄装置は、第２給水路を開放して最大流量の洗浄水が第２吐水口から吐水される第１ブロー吐水を実行すると、便鉢部内に貯留した洗浄水及び汚物等が便器排水路の下流側に搬送され、便鉢部内の水位が低下する。この状態で、第１給水路を開放して鉢吐水を実行すると、第１吐水口から吐水した洗浄水は便鉢部の表面に沿って流れ落ちて便鉢部の下部に流れ込み、第２吐水口から吐水された洗浄水の勢いによって、便器排水路の下流側に流出する。このように、第１ブロー吐水中は、便器排水路の上流端開口である流入口が便鉢部の下部に露出した状態になり、便鉢部内の水位は最低水位のまま上昇しない。また、第１ブロー吐水中は、便器排水路内の臭気も第２吐水口から吐水された洗浄水によって下流側に押し込まれ、便鉢部側へ逆流しない。
【０００９】
仮に、この状態で第２給水路を閉鎖し、第１ブロー吐水を終了すると、便器排水路の流入口が便鉢部の下部に露出した状態であるため、この水洗式便器を載置したトイレルーム内の気圧が低いと、便器排水路から臭気が逆流するおそれがある。
【００１０】
このため、この便器洗浄装置は、一旦、第２給水路を流れる洗浄水の流量を低下させた後、再度、第２給水路を流れる洗浄水の流量を増加させる第２ブロー吐水を実行する。一旦、第２給水路を流れる洗浄水の流量が低下することによって、便鉢部の下部に流入した洗浄水が、便器排水路の下流側へ流出し難くなる。このため、便鉢部内の水位を上昇させることができる。一方、第２給水路を流れる洗浄水の流量を低下させることによって、便器排水路内の臭気が便鉢部側に逆流するおそれが生じるため、第２給水路を流れる洗浄水の流量を低下させる時間を短時間とし、再度、第２給水路を流れる洗浄水の流量を増加して第２ブロー吐水を実行する。この第２ブロー吐水によって、便器排水路内の臭気を下流側に押し込むことによって、便器排水路内の臭気が便鉢部側に逆流することを防止できる。
【００１１】
第２給水路を閉鎖して第２ブロー吐水を終了した時点で、便鉢部内の水位が上昇した状態に維持されるため、早期に便器排水路の流入口を洗浄水で封鎖することができる。このため、便器排水路内の臭気が便鉢部側に逆流することを防止できる。
【００１２】
したがって、本発明の便器洗浄装置は、便器洗浄を良好に実行し、便器排水路から便鉢部を介してトイレルーム内に臭気が引き込まれることを防止できる。
【図面の簡単な説明】
【００１３】
【図１】実施例の水洗式便器を示す概略図である。
【図２】実施例の第１開閉弁及び第２開閉弁の開閉信号を示すグラフである。
【図３】実施例の第１給水路及び第２給水路の流量変化を示すグラフである。
【図４】実施例の水洗式便器の便器洗浄状態を示す概略図であって、（Ｉ）は便鉢部内の水位が上昇した状態を示し、（ＩＩ）は第１ブロー吐水によって便鉢部内の水位が低下した状態を示し、（ＩＩＩ）は第１ブロー吐水後に第２給水路を流れる洗浄水の流量が低下し、便鉢部内の水位が上昇した状態を示し、（ＩＶ）は第２ブロー吐水によって臭気を便器排水路の下流方向に押し込む状態を示し、（Ｖ）は便鉢部内の水位が上昇して水封部が形成される状態を示す。
【発明を実施するための形態】
【００１４】
本発明における好ましい実施の形態を説明する。
【００１５】
本発明の第２ブロー吐水を実行する際に前記第２給水路を流れる洗浄水の流量は、前記第１ブロー吐水を実行する際に前記第２給水路を流れる洗浄水の最大流量よりも少なくし得る。この場合、第２ブロー吐水を実行すると、便鉢部内の水位の低下を抑えつつ、便器排水路内の臭気を下流方向に押し込むことができる。このため、第２ブロー吐水を終了した後において、便鉢部内の水位が上昇した位置に維持されているため、早期に便器排水路の流入口を封鎖することができ、便器排水路から便鉢部側へ臭気が逆流することを防止できる。
【００１６】
本発明の第２ブロー吐水は、前記第２給水路を流れる洗浄水の流量を低下させて前記便鉢部内の水位が上昇し始めた後、前記第２給水路を流れる洗浄水の流量を増加させる。この場合、第２ブロー吐水が終了した後において、便鉢部内の水位が上昇しているため、早期に便器排水路の流入口を封鎖することができる。このため、便器排水路から便鉢部側へ臭気が逆流することを防止できる。
【００１７】
次に、本発明の便器洗浄装置を備えた水洗式便器を具体化した実施例について、図面を参照しつつ説明する。
【００１８】
＜実施例＞
実施例の水洗式便器は、図１に示すように、便器本体１０と、便器洗浄装置２０とを備えている。便器本体１０は便鉢部１１と便器排水路１２とを有している。便鉢部１１は上部周縁に段状に形成したリム通水路１３を形成している。便器排水路１２の上流端である流入口１２Ａが便鉢部１１の下部に開口している。つまり、便器排水路１２は便鉢部１１の下部に連通している。この便器排水路１２は、便鉢部１１の下部から便鉢部１１の外側面に沿って上昇する上昇流路１２Ｂと、上昇流路１２Ｂの上端部に連続して下方に延びた下降流路１２Ｃとを有している。下降流路１２Ｃは下流端部が排水接続部材１４に接続している。便器排水路１２は、この排水接続部材１４を介して、水洗式便器を設置したトイレルームの床面Ｆに引き出された図示しない排水管に連通している。
【００１９】
この便器本体１０は、リム通水路１３の上流端に開口し、リム通水路１３に沿って洗浄水を吐水する第１吐水口１５を有している。また、便器本体１０は、第１吐水口１５の後方に連続し、後述する鉢洗浄用ノズル２４を収納する吐水空間を形成している。さらに、便器本体１０は、便器排水路１２の上昇流路１２Ｂの下端部に取り付けられ、先端中央部に第２吐水口１６を形成した便器排水路用ノズル１７を有している。
【００２０】
便器洗浄装置２０は上流端を給水源に連通した給水路２１を分岐して形成した第１給水路２２と第２給水路２３とを備えている。第１給水路２２は、下流端部に鉢洗浄用ノズル２４を有しており、便器本体１０の後部から便器本体１０内に挿入され、吐水空間に配置されている。このため、鉢洗浄用ノズル２４から吐水した洗浄水は、吐水空間を流れ第１吐水口１５からリム通水路１３に流出する。つまり、第１給水路２２は第１吐水口１５に連通している。また、第２給水路２３も便器本体１０内の後部から便器本体１０内に挿入されている。第２給水路２３は下流端部が便器排水路用ノズル１７に接続している。つまり、第２給水路２３は第２吐水口１６に連通している。
【００２１】
第１給水路２２は電磁式開閉弁である第１開閉弁２５を途中に設けている。第２給水路２３も電磁式開閉弁である第２開閉弁２６を途中に設けている。第１開閉弁２５と第２開閉弁２６とは制御装置２７によって開閉制御される。この便器洗浄装置２０は、第１開閉弁２５、第２開閉弁２６、及び制御装置２７によって、第１給水路２２及び第２給水路２３の洗浄水の流れを別々に制御する流れ制御装置を構成している。
【００２２】
第１開閉弁２５及び第２開閉弁２６は開閉駆動の際、弁体の移動に時間を要する。このため、第１開閉弁２５が設けられた第１給水路２２又は第２開閉弁２６が設けられた第２給水路２３を流れる洗浄水の流量は、開弁の際、最大流量まで徐々に増加し、閉弁の際、ゼロまで徐々に減少する。
【００２３】
便器洗浄装置２０は、図示しない洗浄ボタンを水洗式便器の使用者等が操作することによって、便器洗浄を実行する。この際、第１開閉弁２５及び第２開閉弁２６は、図２に示すように、制御装置２７の制御信号に基づいて開閉駆動する。
【００２４】
便器洗浄を実行すると、便器洗浄装置２０は、Ｔ１時点（便器洗浄開始時点）において、先ず、第１開閉弁２５を開弁駆動する。すると、第１給水路２２が開放され、洗浄水が第１給水路２２を介して第１吐水口１５からリム通水路１３に沿って流出し、便鉢部１１の表面に沿って流れ落ちて便鉢部１１の下部に流れ込む鉢吐水を実行する。この際、第１給水路２２を流れる洗浄水の流量（第１吐水口１５から吐水される洗浄水の流量）は、図３に示すように、Ｔ１時点から徐々に増加して最大流量Ｑ１に達する。すると、図４（Ｉ）に示すように、便鉢部１１内の水位が上昇する。
【００２５】
便器洗浄装置２０は、Ｔ２時点において、第１開閉弁２５を閉弁駆動する。すると、図３に示すように、第１給水路２２を流れる洗浄水の流量（第１吐水口１５から吐水される洗浄水の流量）はＴ２時点から徐々に減少し、Ｔ３時点を超えてゼロになる。このように、便器洗浄装置２０は、先ず、便鉢部１１の表面に沿って洗浄水を流すことによって、便鉢部１１の表面に付着した汚物等を洗い落とす鉢洗浄を実行する。
【００２６】
便器洗浄装置２０は、Ｔ２時点より後のＴ３時点において、第２開閉弁２６を開弁駆動する。すると、第２給水路２３が開放され、洗浄水が第２給水路２３を介して便器排水路用ノズル１７の第２吐水口１６から便器排水路１２の上昇流路１２Ｂに沿って下流側に流出する。この際、第２給水路２３を流れる洗浄水の流量（第２吐水口１６から吐水される洗浄水の流量）は、図３に示すように、Ｔ３時点から徐々に増加して最大流量Ｑ２に達する。つまり、便器洗浄装置２０は第１ブロー吐水を実行する。
【００２７】
便器洗浄装置２０が第１ブロー吐水を実行し、第２吐水口１６から吐水された洗浄水の勢いによって、便鉢部１１内の洗浄水及び汚物等が便器排水路１２の下流側へ搬送される。いわゆる、便器洗浄装置２０はジェット洗浄を実行する。これによって、図４（ＩＩ）に示すように、便鉢部１１内の水位が低下して便器排水路１２の流入口１２Ａが露出した状態になり、便鉢部１１内の水位は最低水位のまま上昇しない。また、第１ブロー吐水中（ジェット洗浄中）は、便器排水路１２内の臭気も第２吐水口１６から吐水された洗浄水によって下流側に押し込まれ、便鉢部１１側へ逆流しない。
【００２８】
便器洗浄装置２０は、Ｔ３時点より後のＴ４時点において、第１開閉弁２５を開弁駆動する。すると、第１給水路２２が開放され、洗浄水が第１給水路２２を介して第１吐水口１５からリム通水路１３に沿って流出し、便鉢部１１の表面に沿って流れ落ちて便鉢部１１の下部に流れ込む鉢吐水を実行する。この際、第１給水路２２を流れる洗浄水の流量（第１吐水口１５から吐水される洗浄水の流量）は、図３に示すように、Ｔ４時点から徐々に増加して最大流量Ｑ１に達する。リム通水路１３から便鉢部１１の表面に沿って流れ落ちて便鉢部１１の下部に流れ込んだ洗浄水も第２吐水口１６から吐水された洗浄水の勢いによって、便器排水路１２の下流側に流出する。このため、便器排水路１２の流入口１２Ａが露出した状態のままであり、便鉢部１１内の水位は最低水位のまま上昇しない。
【００２９】
そして、便器洗浄装置２０は、Ｔ４時点より後のＴ５時点において、第２開閉弁２６を閉弁駆動する。図３に示すように、第２給水路２３を流れる洗浄水の流量（第２吐水口１６から吐水される洗浄水の流量）はＴ５時点から徐々に減少する。第２給水路２３を流れる洗浄水の流量がゼロになる前のＴ６時点において、便器洗浄装置２０は第２開閉弁２６を開弁駆動する。これによって、第２給水路２３を流れる洗浄水の流量（第２吐水口１６から吐水される洗浄水の流量）は、Ｔ６時点から徐々に増加する。さらに、第２給水路２３を流れる洗浄水の流量が最大流量Ｑ２になる前のＴ７時点（流量Ｑ３）において、便器洗浄装置２０は第２開閉弁２６を閉弁駆動する。これによって、第２給水路２３を流れる洗浄水の流量（第２吐水口１６から吐水される洗浄水の流量）は、Ｔ７時点から徐々に減少してゼロになる。
【００３０】
このように、便器洗浄装置２０は、Ｔ５〜Ｔ６時点において、一旦、第２給水路２３を流れる洗浄水の流量（第２吐水口１６から吐水される洗浄水の流量）を低下させた後、再度、Ｔ６〜Ｔ７時点において、第２給水路２３を流れる洗浄水の流量（第２吐水口１６から吐水される洗浄水の流量）を増加させる第２ブロー吐水を実行する。
【００３１】
Ｔ５〜Ｔ６時点において、第２給水路２３を流れる洗浄水の流量（第２吐水口１６から吐水される洗浄水の流量）が低下することによって、便鉢部１１の下部に流入した洗浄水が、便器排水路１２の下流側へ流出し難くなる。このため、図４（ＩＩＩ）に示すように、便鉢部１１内の水位を上昇させることができる。一方、第２給水路２３を流れる洗浄水の流量（第２吐水口１６から吐水される洗浄水の流量）を低下させることによって、便器排水路１２内の臭気が便鉢部１１側に逆流するおそれが生じる。このため、便鉢部１１内の水位が上昇し始めた後であるＴ６時点において、第２給水路２３を流れる洗浄水の流量（第２吐水口１６から吐水される洗浄水の流量）を増加して第２ブロー吐水を実行する。
【００３２】
第２ブロー吐水を実行した際、第２給水路２３を流れる洗浄水が最大となるＴ７時点の流量Ｑ３は、第１ブロー吐水を実行した際に第２給水路２３を流れる洗浄水の最大流量Ｑ２よりも少ない。このため、第２ブロー吐水の実行によって、図４（ＩＶ）に示すように、便鉢部１１内の水位の低下を抑えつつ、便器排水路１２内の臭気を下流方向に押し込むことができる。このため、第２ブロー吐水を終了した後において、便鉢部１１内の水位が上昇した位置に状態されているため、早期に便器排水路１２の流入口１２Ａを封鎖することができ、便器排水路１２から便鉢部１１側へ臭気が逆流することを防止できる。
【００３３】
したがって、実施例の便器洗浄装置２０は、便器洗浄を良好に実行し、便器排水路１２から便鉢部１１を介してトイレルーム内に臭気が引き込まれることを防止できる。
【００３４】
そして、便器洗浄装置２０は、第２給水路２３を流れる洗浄水の流量（第２吐水口１６から吐水される洗浄水の流量）がゼロになった後のＴ８時点において、第１開閉弁２５を閉弁駆動する。すると、図３に示すように、第１給水路２２を流れる洗浄水の流量（第１吐水口１５から吐水される洗浄水の流量）はＴ８時点から徐々に減少してゼロになる。これによって、図４（Ｖ）に示すように、洗浄水が第１給水路２２から第１吐水口１５を介して便鉢部１１の表面に沿って流れ落ち、便鉢部１１内の水位が上昇し、水封部が形成され、便器洗浄を終了する。そして、便器洗浄装置２０は便器洗浄の待機状態に復帰する。
【００３５】
本発明は上記記述及び図面によって説明した実施例に限定されるものではなく、例えば次のような実施例も本発明の技術的範囲に含まれる。
（１）実施例では、第１ブロー吐水を実行するために第２開閉弁を開弁駆動する前に、第１開閉弁を開弁駆動して鉢洗浄を実行したが、鉢洗浄を実行せずに、第２開閉弁を開弁駆動し、第１ブロー吐水を実行してもよい。
（２）実施例では、第１開閉弁、第２開閉弁、及び制御装置によって、第１給水路及び第２給水路の洗浄水の流れを別々に制御する流れ制御装置を構成していたが、給水路から第１開閉弁、第２開閉弁を分岐する部分に切換え弁を設けて、流れ制御装置を構成してもよい。
（３）実施例では、第２開閉弁の開弁時間を短くすることによって、第２ブロー吐水における流量を第１ブロー吐水における最大流量よりも少なくしたが、第２開閉弁を流量制御機能を有するものにして、流量を制御してもよい。
【符号の説明】
【００３６】
１１…便鉢部
１２…便器排水路
１５…第１吐水口
１６…第２吐水口
２０…便器洗浄装置
２２…第１給水路
２３…第２給水路
２５、２６、２７…流れ制御装置（２５…第１開閉弁、２６…第２開閉弁、２７…制御装置）
【図１】
0006006960.tif 000002
【図２】
0006006960.tif 000003
【図３】
0006006960.tif 000004
【図４】
0006006960.tif 000005